Podtech/llm-jp-corpus-v4-ja_patent huggingface dataset:
(57)【要約】【課題】  自動車用エアコンの冷媒ガス漏れ修理方法において、冷媒ガスが微量の漏れであっても検知可能で、冷媒ガス類も無駄にすることなく、劣化・破損を視認してから部品交換が出来る迅速かつ安価な修理方法【解決手段】  自動車用エアコンシステムにおいて、カプラー状のジョイントアダプターを用いて、システム内に圧縮空気供給ホース及び圧力測定器付圧縮器を接続し、上記供給ホースより、６．０〜１０．０Ｋｇ／ｍ程度の圧縮空気を送り込み、パイプ接合部品及び接合部に石鹸水を塗布し、不良箇所の発見をすることを特徴とする、冷媒ガス漏れ修理方法【特許請求の範囲】
【請求項１】
自動車用エアコンシステムにおいて、カプラー状のジョイントアダプターを用いて、システム内に圧縮空気供給ホース及び圧力測定器付圧縮器を接続し、上記供給ホースより、６．０〜１０．０Ｋｇ／ｍ２の圧縮空気を送り込み、パイプ接合部品及び接合部に石鹸水を塗布し、不良箇所の発見をすることを特徴とする、冷媒ガス漏れ修理方法
【発明の詳細な説明】
【技術分野】
【０００１】  本発明は、自動車用エアコンの冷媒ガス漏れの修理方法に関するものである。
【背景技術】
【０００２】  自動車用エアコンは、コンプレッサー、コンデンサー、エバポレーター、リキッドタンク、エキスパンションバルブ等の主要部品で構成され、構成部品を金属パイプやゴムパイプで接続している。【０００３】  故障の大半がこのパイプ類の破損、部品の破損や劣化、及びそれら接合部分の経年劣化による不具合により、冷媒ガスが徐々に抜け出て冷房力がなくなるというものである。【０００４】  従来の自動車用エアコンの修理方法は、冷媒ガスと共に蛍光剤入りオイルを充填し、然るべき時間経過の後、冷媒ガスの抜け出る箇所が着色され、専用器具で冷媒ガスが抜けている部分を特定した後、交換もしくは修理するという方法であった。しかし、蛍光剤はオイルの為に、ガスの抜け方が微量の場合にはオイルが容易に抜けずに、ガス抜け箇所の着色がなされず、簡単に発見出来ないという問題があると同時に、蛍光剤も高価であった。【０００５】  もうひとつの従来方法は、前述の方法と同様に、冷媒ガスを充填後、ガスセンサーにより抜け出る箇所を特定し、交換もしくは修理する方法がある。【０００６】  これらいずれの方法においても、抜け出るのを前提にして冷媒ガスを充填し、発見するという方法であったので、フロンガス（代替ガス）等を無駄に大気中に放出することにより、資源のロス及び環境汚染を起こしがちであった。さらに、終了後の再確認作業が出来ず、冷媒ガス注入後に、更なる不良個所が発見されたりする事がしばしばであった。
【発明の開示】
【発明が解決しようとする課題】
【０００７】  本発明は、冷媒ガスが微量漏れであっても検知可能で、冷媒ガスも無駄にする事もなく、劣化・破損を視認してから部品交換も出来る、迅速で安価な修理方法を提供するものである。上記の課題を解決する為に、簡便なる大気の圧縮空気を用いて、ガス漏れ箇所を特定し該所を修理する方法が採られる。
【課題を解決する為の手段】
【０００８】  すなわち本発明は、自動車用エアコンシステムにおいて、カプラー状のジョイントアダプターを用いて、システム内に圧縮空気供給ホース及び圧力測定器付圧縮器を接続し、上記供給ホースより、６．０〜１０．０Ｋｇ／ｍ２の圧縮空気を送り込み、パイプ接合部品及び接合部に石鹸水を塗布し、不良箇所の発見をすることを特徴とする、冷媒ガス漏れ修理方法、である。
【発明の効果】
【００１１】  本修理方法は従来の方法に比較して、微量の漏れであっても検知可能であり、冷媒ガス類も無駄にすることなく、劣化・破損を視認してから部品交換が可能となる為、不確かな部品交換も伴わないので、修理が適切かつ安価・迅速となる。
【００１２】  本修理方法は、目には見えない冷媒ガス漏れ箇所の視認が容易に出来て、確実性が高く、修理後、再度圧縮空気を注入し、修理完了を再確認する事が出来る。
【００１３】  以上の様に、本発明の自動車用エアコン修理法は、資源及び作業効率を大幅に向上させることが出来るのである。
【発明を実施する為の最良の形態】
【００１４】  自動車用エアコンは、コンプレッサー、コンデンサー、エバポレーター、リキッドタンク、エキスパンションバルブ等の主要部品で構成され、構成部品を金属パイプやゴムパイプで接続している。
エアコンシステム内部に、カプラー状のジョイントアダプターで中継して耐圧ホースを接続し、エアコン修理・充填用の圧力測定器付圧縮機器を使用して高圧縮空気を送り込む。
【０００９】  圧入後、まず、圧力測定器で圧力低下状況を確認し、部品及び接合部の何処かに破損及び不具合を有する場合には、圧力低下が発生するので要修理を認職できる。
一方、修理箇所の特定手段として、パイプや部品、または接合部に希薄石鹸水を霧吹きで塗布する事により、石鹸水が圧力により風船状に膨らみ、不良箇所を容易に発見できる。
【００１０】  エアコンシステム内部に送り込む圧縮空気は、６．０〜１０．０Ｋｇ／ｍ２の圧力が望ましい。また、ジョイントアダプターは、Ｒ１２、１３４ａという使用冷媒ガスにより使い分けるものとする。
【００１５】  注入後、空気圧縮を圧力測定器で確認しながら、圧力低下状況を確認する。
不良箇所を探し出すには、パイプ及び部品、または接合部に希薄石鹸水を霧吹きで吹き付け、石鹸水が内圧により風船状に膨らませることにより、不良箇所の発見をする。
(57)【要約】【課題】微粒子の水を燃料油に分散させたエマルション燃料製造装置及びエマルション燃料の製造方法を提供する。【解決手段】水の▲１▼噴霧器を有し、その噴霧を▲２▼エゼクターにより油中に吸引させ▲４▼油送ポンプを経由してさらに均一微細化するため▲５▼超音波発生器を具備し▲３▼乳化装置に戻す機構を持つ。【選択図】図１
2009257724.tif 000002
【特許請求の範囲】
【請求項１】
噴霧発生器により発生した３０ミクロン以下の水の微粒子を直接エゼクターにより油中に混合するエマルション燃料製造装置
【請求項２】
請求項１の油中に分散された水微粒子を乳化装置の外部に設けた超音波発生器によりさらに微粒子化しおよび均一分散を行い乳化装置に戻しそれを繰り返す機構を特徴とするエマルション燃料製造装置
【発明の詳細な説明】
【技術分野】
【０００１】本発明はエマルション燃料製造装置及びエマルション燃料の製造方法に関する。
【背景技術】
【０００２】重質油と水と界面活性剤を混合してエマルション燃料を製造する方法は古くから行われていた。しかし水の均一な分散と微粒子化がなかなか困難で保存性や燃焼時の不安定さに現れていた。
そこで高圧ノズルで混合油を噴霧することで微細化を行っているものもある。（たとえば特許文献１参照）
【特許文献１】特許公開２００７−２９１３０５
【発明の開示】
【発明が解決しようとする課題】
【０００３】油と水と界面活性剤を微細化してエマルション化することは非常に難しい。水を微細化できれば界面活性剤の量にもよるが非常に安定性がある事が知られている。油と水の混合したもの高圧ノズルで微細化しても、もともとばらついた状態で混合されているので微細化は難しく次第に粒径が大きくなる。
そのことが最終的な水の微細化と均一な分散を妨げ保存性や燃焼にバラツキがでる。本発明は上述した水の微細化と分散を均一に行い、燃焼の安定性を向上させるものである。
【課題を解決するための手段】
【０００４】そこで最初から水を噴霧発生器により３０ミクロン以下の微粒子にし、その微粒子をエゼクターで油中に混入し超音波発生器により分散を均一させ、さらに微粒子化させる方法を使用したエマルション燃料を製造する方法を提供するものである。
【発明の効果】
【０００５】本発明により水をもともと霧状の噴霧で油中に混入できるので非常に微細で均一な水の分散を行うことができ、そして超音波発生器を通過循環させることでさらに微細な分散が可能で燃焼の安定性および保存の期間持続に効果がある。
【発明を実施するための最良の形態】
【０００６】図１の▲１▼噴霧器に水と圧縮空気を送り水を３０ミクロン以下の噴霧にする。その噴霧はノズル口の１００ｍｍから２００ｍｍにすることで水を凝集させずに▲２▼エゼクターの吸引口から油中に吸引され分散する。そのあと▲３▼乳化装置に入った油と水は▲４▼ポンプを経由し▲５▼超音波発生器に入りさらに乳化分散する。状態を確認しながら循環回数を決めることが出来る。
【図面の簡単な説明】
【０００７】
【図１】エマルション燃料装置の油と水の混合概略図である。
【符号の説明】
【０００８】▲１▼  噴霧器
▲２▼  エゼクター
▲３▼  乳化装置
▲４▼  油送ポンプ
▲５▼  超音波発生器
【図１】
2009257724.tif 000003
(57)【要約】【課題】籾殻などの植物性の破片は、昨今自然のサイクルからはずされ廃棄物として費用がかかるようになり、その処分方法も焼却処分となるため環境への負荷が懸念される。また、咋今まで建築用部材の補強用として外壁材、間仕切り材、鉄骨の補強材として使用されたアスベストは健康被害や衛生上有害と認識され現在では使用及び製造の禁止となっておりアスベストの機能を有しながら衛生上の問題を起こさない代替となる材料が求められている。【解決手段】アスベストの特性と同等の性質をもつ建築材料として用いることを可能とするために同等の機能特性を持つ珪藻土と、従来廃棄物である籾殻とを混合成形し硬化させる。【特許請求の範囲】
【請求項１】
珪藻土と籾殻を混合成形し硬化させた建築材料。
【請求項２】
珪藻土と籾殻を混合成形し硬化させた建築材料の製造方法。
【請求項３】
珪藻土、籾殼、セメント、珪酸物質からなる多孔質物質含有の建築材料およびその製造方法。
【請求項４】
珪藻土を用いたアスベスト代替材としての建築材料及びその製造方法。
【請求項５】
籾殻を用いたアスベスト代替材としての建築材料及びその製造方法。
【発明の詳細な説明】
【技術分野】
【０００１】本発明は建物に使用される建材で、環境機能を発揮する建材製造に関する物である。
【背景技術】
【０００２】昨今までアスベストは、建築用部材の補強用として外壁材、間仕切り材、鉄骨の補強材として使用された。【０００３】アスベストは、紡織性、抗張性、耐摩擦性、親和性、耐火性、耐熱性、断熱性、防音性、耐薬品性、絶縁性、耐腐食性、経済性を持ち合わせている。【０００４】アスベストは、健康被害や衛生上有害と認識され現在では使用及び製造の禁止となっている。【０００５】アスベストの特徴を全て持ち合わせる素材は、石綿以外の鉱物や合成物質には無い。【０００６】珪藻土は、紡織性、抗張性、耐摩擦性、親和性、耐火性、耐熱性、断熱性、防音性、耐薬品性、絶縁性、耐腐食性を持ち合わせている。
【発明の開示】
【発明が解決しようとする課題】
【０００７】昨今まで建築用部材の補強用として外壁材、間仕切り材、鉄骨の補強材として使用されたアスベストは、紡織性、抗張性、耐摩擦性、親和性、耐火性、耐熱性、断熱性、防音性、耐薬品性、絶縁性、耐腐食性、経済性を持ち合わせており多用途に大量に使用された。しかしながら健康被害や衛生上有害と認識され現在では使用及び製造の禁止となっておりアスベストの機能を有しながら衛生上の問題を起こさない代替となる材料が求められている。【０００８】籾殻などの植物性の破片は、昨今自然のサイクルからはずされ廃棄物として費用がかかるようになり、その処分方法も焼却処分となるため環境への負荷が懸念される。
【課題を解決するための手段】
【０００９】アスベストの特性と同等の性質をもつ建築材料として用いることを可能とするために機能性を持つ珪藻土と、従来廃棄物である籾殻とを混合成形し硬化させる。
【発明の効果】
【００１０】本発明は、珪藻土の持つ紡織性、抗張性、耐摩擦性、親和性、耐火性、耐熱性、断熱性、防音性、耐薬品性、絶縁性、耐腐食性、多孔質体に着目し他の多孔質、吸着材とともに硬化形成した際にも珪藻土の有する特性機能を阻害することなく発揮するに至り、廃棄費用のかかる籾殻等を材料として組み合わせることで軽量化、経済性、および環境に配慮した建築材料として提供する。
【発明を実施するための最良の形態】
【００１１】粉砕機で粉状にし焼成炉に投下し８００度以上１，２００度で焼成した珪藻土と籾殻を混合し混合物体をつくる。次にこの混合物を硬化成形し建築材料とする。
【産業上の利用可能性】
【００１２】従来アスベストが使用された押出成形セメント板などの間仕切壁、繊維強化セメント板などの内装や外装や屋根、化粧スレート、窯業系サイディング、煙突などのアスベストセメント円形などに替わる建材としての可能性。【００１３】断熱材用接着剤、耐熱電気絶縁板、ジョイントシート、シール材、アスベスト布、ブレーキ摩擦材などに替わる非建材としての可能性。
(57)【要約】【課題】天災国日本において小規模災害発生といえども復旧にはばく大な費用、長期にわたる期間、それに勝るとも劣らない人間の怪我、生命損失、一時非難所暮らし、仮説住宅生活で起きる心理面のダメージ、ストレス、その大きな被害による人間の心理面の痛手、国においても、被害に遭われた住民においても無視はできない、その大きな損失を少しでも少なく、和らげられる事を目的とした発明。【解決手段】災害発生により地盤の傾き、ひずみが生じたとき復元を短期間、費用の軽減を計る目的で事前に鉄筋入りコンクリート土台、陶器材製ブロック、基礎鉄骨枠を組み合わせ固着して構築させる発明。【選択図】図１
2009257058.tif 000002
【特許請求の範囲】
【請求項１】
台風、突風、強震等の自然発生現象程度には不動の強度維持目的で、鉄筋入りコンクリート土台２に陶器材製又は同様質系材ブロック３を乗せ、なおかつ上部部分の建築物５を支えそして建築物５と緊結するための基礎鉄骨枠４を重ね、鉄筋入りコンクリート土台２と陶器材製又は同様質系材ブロック３と基礎鉄骨枠４を固着させる、そして本発明は台風、突風、強震等自然発生現象等までは不動の保持力を保たせる構築だが、激震、烈震には陶器材製又は同様質系材ブロック３が振動エネルギーを吸収しながら自壊し建築物５の損壊を防ぐ、なを本発明での復元方法は基礎鉄骨枠４の外縁部分と鉄筋入りコンクリート土台２の間に持ち上げられる機能のジャッキ等を差し込み持ち上げ鉄筋入りコンクリート土台２の水平を調整後、改めて陶器材製又は同様質系ブロック３を挟んで固着する、本発明は基礎鉄骨枠４の外縁部分のみを持ち上げて復元出来る免耐震ベースである。
【発明の詳細な説明】
【技術分野】
【０００１】本発明は、日本国においては何時、どこで、自然災害発生が起きても不思議ではない現在と言われている、天災等により地盤が傾き、それにつられて建築物が傾いて仕舞った状況の復元を本発明にそって構築を行っていれば短期間、そして復元費用、人間の心理面の痛手等を軽減させる事が出来、国の支出、個人の負担が極端に軽減出来る目的で発明した。
【背景技術】
【０００２】主に、従来の多くの住宅建築工法では、災害により地盤が傾いた状況復元には、建築物を一時取り除かなければ復旧出来ない、建築物の撤去、再建築、その費用、それまでの転居、心理面の負担が大きくのしかかって来るのが現状である。
【発明の開示】
【発明が解決しようとする課題】
【０００３】本発明は建築物を支え建築物と緊結出来る基礎鉄骨枠で組み上げる。それを支持する鉄筋入りコンクリート土台は外縁基礎鉄骨枠下部、部分のみとし、復元時不必要であるため原則として内部の基礎鉄骨枠下には主な土台構築はしない、鉄筋入りコンクリート土台と基礎鉄骨枠との間には陶器製又は同様質系材ブロックを差し込み固着した構築とする。
【課題を解決するための手段】
【０００４】本発明は台風、突風、強震等には不動の強度を保つ作りで仕上げておくが、激震、烈震には陶器製又は同様質系材ブロックが振動エネルギーを吸収しながら自壊して建築物の損壊を防ぐ、なお本発明による復元には外縁鉄骨枠と鉄筋入りコンクリート土台の間に持ち上げられる機能のジャッキ等を差し込み持ち上げ鉄筋入りコンクリート土台の水平を調整後、改めて陶器材製又は同様質系材ブロックを挟んで固着する。
【発明の効果】
【０００５】万々が一建築物が自然災害等により、地盤の傾きが生じた場合、従来の建築工法では復元までに要する転居期間、復元費用、それ以上に人間の心理面でのダメージストレスが生じる、国として一地域と言えども復旧に要する費用の多さ、間、髪を入れられない被害者救援、支援の費用支出、本発明の採用拡大により万々が一被害を被った場合、復元、心理面に必ず希望を生ませる効果がある。
【発明を実施するための最良の形態】
【０００６】地面に鉄筋入りコンクリート土台は上部の一部を露出させた状態で設置し、建築物と緊結した基礎の鉄骨枠との間に陶器材製又は同様質系ブロックを挟み固着して構築する。
【実施例】
【０００７】実施例を添付図面に従って説明する、鉄筋入りコンクリート土台２に陶器材製又は同様質系ブロック３を乗せ、その上に基礎鉄骨枠４を乗せた状態で鉄筋入りコンクリート２、陶器製又は同様質系ブロック３、基礎鉄骨枠４の上部に建築物５も合わせて固着させる、その構築方法で万が一自然発生により被害を被った場合、復元費用、復元期間、人間の心理面の痛手負担を大きく軽減できる、点線５は仮想建築物の表示。
点線５は仮想建築物の表示。
【図面の簡単な説明】
【０００８】
【図１】免耐震ベースの斜視図
【図２】免耐震ベース斜視図における  Ａ−Ａ′部分断面図
【符号の説明】
【０００９】１  地面
２  鉄筋入りコンクリート土台
３  陶器材製ブロック
４  基礎鉄骨枠
５  仮想建築物
【図１】
2009257058.tif 000003
【図２】
2009257058.tif 000004
(57)【要約】【課題】環境保全を図りながら、都市部での駐車場ニーズに応えることができる駐車場システムを提供する。【解決手段】駐車場内に風力発電機１０及び／又は太陽電池パネル２０を設置し、この風力発電機１０及び／又は太陽電池パネル２０で発電して駐車場に必要な電力を得る。【選択図】  図１
2009257015.tif 000002
【特許請求の範囲】
【請求項１】
駐車場内に風力発電設備及び／又は太陽光発電設備を設置し、この風力発電設備及び／又は太陽光発電設備で発電して駐車場に必要な電力を供給することを特徴とする駐車場システム。
【請求項２】
前記駐車場の舗装を、天然芝とポーラスコンクリート舗装を組み合わせた植生ブロック舗装で行うことを特徴する請求項１記載の駐車場システム。
【請求項３】
前記風力発電設備及び／又は太陽光発電設備による発電を監視し、発電がなされていないことを検知するとその旨を報知する報知手段を有することを特徴とする請求項１又は２記載の駐車場システム。
【発明の詳細な説明】
【技術分野】
【０００１】
本発明は，環境に配慮しながら都市部での駐車場ニーズに応えることができる駐車場システムに関するものである。
【背景技術】
【０００２】
近年の車社会の中で、都市部では慢性的な駐車場不足の状態にあり、遊休地や小規模の土地の有効活用の一つとして、コインパーキング（時間貸し駐車場）が急増している。
一方で、大気汚染、地球の温暖化等の環境問題は、地球規模での問題となっており、企業はもとより、個々人にとっても環境問題への取り組みは社会的責任となっている。
【発明の開示】
【発明が解決しようとする課題】
【０００３】
そこで、本発明は、環境保全を図りながら、都市部での駐車場ニーズに応えることができる駐車場システムを提供することを目的とする。
【課題を解決するための手段】
【０００４】
本発明は、駐車場内に風力発電設備及び／又は太陽光発電設備を設置し、この風力発電設備及び／又は太陽光発電設備で発電して駐車場に必要な電力を供給することを特徴とする。
【０００５】
また、前記駐車場の舗装を、天然芝とポーラスコンクリート舗装を組み合わせた植生ブロック舗装で行うことを特徴する。
【０００６】
さらに、前記風力発電設備及び／又は太陽光発電設備による発電を監視し、発電がなされていないことを検知するとその旨を報知する報知手段を有することを特徴とする。
【発明の効果】
【０００７】
本発明によれば，環境保全を図ることができる駐車場を提供することができる。
【発明を実施するための最良の形態】
【０００８】
以下、本発明をコインパーキング（時間貸し駐車場）に適用した一実施例を図面に基づき説明する。
【０００９】
図１は、本発明が実施されたコインパーキングの概略構成を示す図である。同図に示すように、駐車場の入口１及び出口２には、入口ゲート３、出口ゲート４が設けられている。入口１には、駐車券発行機５が設けられており、出口２には、全自動精算機６が設けられている。
【００１０】
全自動精算機６は、例えば１５分単位で１００円と定められた駐車料金を、駐車時間に応じて自動計算し、料金が全額投入されると出口ゲート４を開ける。
【００１１】
この駐車場には、風力発電設備、太陽光発電設備が設けられている。
【００１２】
風力発電設備は、羽根１０ａを備えた風力発電機１０を有し、羽根の回転により発電された電力を駐車場の各部に供給し、入口ゲート３、出口ゲート４、駐車券発行機５、全自動精算機６、表示灯７等の駆動電力とするように構成されている。なお、この際、風力発電機１０で発電された電力を一旦蓄電池に蓄積した後、各部に供給するようにしても良い。
【００１３】
太陽光発電設備は、太陽電池パネル２０を有し、この太陽電池パネル２０で発電された電力を駐車場の各部に供給し、入口ゲート３、出口ゲート４、駐車券発行機５、全自動精算機６、表示灯７等の駆動電力とするように構成されている。なお、この際、太陽電池パネル２０で発電された電力を一旦蓄電池に蓄積した後、各部に供給するようにしても良い。
【００１４】
これらの風力発電設備、太陽光発電設備の発電状況は、発電検知部８で常に監視され、発電不良等の故障を検知すると、報知部９が管理者の携帯電話３０に自動ダイヤルして異常を報知するように構成されている。
【００１５】
なお、この駐車場に設置される飲み物の自動販売機３１にも、太陽電池パネル３２が設けられ、この太陽電池パネル３２により発電される電力により自動販売機３１の駆動電力が供給されるように構成されている。
【００１６】
この駐車場の地面上には、ポーラスコンクリート（透水性コンクリート植生ブロック又はエコブロック）舗装が施されている。ポーラスコンクリートは、セメントペーストに粗骨材を加えて作られる連続空隙を多く含む特殊コンクリートであり、透水性・保水性・通気性に優れている。このポーラスコンクリートのブロックに天然芝を植生するスペースを複数くり抜いて形成したのが透水性コンクリート植生ブロックであり、このブロックを駐車場の地面に敷き詰めてブロックに形成された植生スペースに天然芝を植生することにより、緑化促進、自然環境保全を図るようにしている。
【００１７】
以上のように、本実施形態では、風力発電機１０、太陽電池パネル２０により駐車場で必要な電力を供給するように構成されているので、大気汚染物質の排出を伴わず、環境問題に貢献できると共に、駐車場の稼動に必要な電気代の節約を図ることができる。
【００１８】
また、透水性コンクリート植生ブロックを利用して天然芝を植生することにより、自然環境の保全を図ることができる。
【図面の簡単な説明】
【００１９】
【図１】本発明を実施した駐車場の一構成例を示す図である。
【符号の説明】
【００２０】
１    駐車場入口
２    駐車場出口
８    発電検知部
９    報知部
１０  風力発電機
２０  太陽電池パネル
【図１】
2009257015.tif 000003
(57)【要約】      （修正有）【課題】給液チャンバー内部を簡単に把握することができるグラビア型塗工装置。【解決手段】グラビア型塗工装置１０の塗工液供給チャンバー１４の底部に覗き窓２８を形成することによりチャンバー内部を簡単に把握できる。【選択図】図１
2009148663.tif 000002
【特許請求の範囲】
【請求項１】
走行しているウエブにグラビア塗工を行うグラビアロールの外方に、塗工液の液溜め部を有したチャンバーを設けたグラビア型塗工装置において、
前記チャンバーの底部に貫通開口部を設け、
前記貫通開口部に透明板を取り付けて覗き窓を形成した、
グラビア型塗工装置。
【請求項２】
前記透明板が、強化ガラス板である、
請求項１記載のグラビア型塗工装置。
【請求項３】
前記覗き窓が、前記底部に複数設けた、
請求項１記載のグラビア型塗工装置。
【発明の詳細な説明】
【技術分野】
【０００１】
本発明は、グラビア塗工を行うグラビア型塗工装置に関するものである。
【背景技術】
【０００２】
従来より、フィルム、紙、布帛などのウエブに対しグラビア塗工を行うグラビア型塗工装置が提案されている（例えば、特許文献１参照）。
【０００３】
このグラビア型塗工装置は、グラビアロールの側方に塗工液を溜めたチャンバーを設け、また、このグラビアロールに走行するウエブを接触させる。そして、チャンバー内部の塗工液をグラビアロールの外周面に塗布し、その塗布された塗工液をウエブに対しグラビア塗工する。
【特許文献１】特開２００４−３１３９５５公報
【発明の開示】
【発明が解決しようとする課題】
【０００４】
上記のようなグラビア型塗工装置において、グラビア塗工を綺麗に行うためには、塗工液が塗布されたグラビアロールの表面を見て、そのチャンバー内部の状態を推定して、チャンバーへの塗工液の圧送量や圧力を調整する必要があった。
【０００５】
チャンバー内部の温度や圧力については、センサーを設けることにより解決するが、具体的な状態を推測するには、やはり熟練した技術者の勘が必要であった。
【０００６】
そこで、本発明は上記問題点に鑑み、チャンバー内部を簡単に把握することができるグラビア型塗工装置を提供する。
【課題を解決するための手段】
【０００７】
本発明は、走行しているウエブにグラビア塗工を行うグラビアロールの外方に、塗工液の液溜め部を有したチャンバーを設けたグラビア型塗工装置において、前記チャンバーの底部に貫通開口部を設け、前記貫通開口部に透明板を取り付けて覗き窓を形成した、グラビア型塗工装置である。
【発明の効果】
【０００８】
本発明によれば、覗き窓からチャンバー内部を観察することができるため、チャンバー内部を簡単に把握できる。
【発明を実施するための最良の形態】
【０００９】
以下、本発明の一実施形態のフィルム、紙、布帛などのウエブWに対しグラビア塗工を行うグラビア型塗工装置１０について図１と図２に基づいて説明する。
【００１０】
（１）グラビア型塗工装置１０の構成
本実施形態のグラビア型塗工装置１０は、グラビアロール１２の側方に、チャンバー１４が設けられ、グラビアロール１２の上方には、ウエブWを走行させるバックアップロール１６が回転自在に設けられている。
【００１１】
チャンバー１４は、図２に示すようにグラビアロール１２の全幅とほぼ同じ幅を有し、その内部に塗工液を溜めるための液溜め部１８を有している。このチャンバー１４のグラビアロール１２側には、上ブレード２０と下ブレード２２が設けられている。下ブレード２２は、液溜め部１８から塗工液が垂れるのを防止し、上ブレード２０は、所定厚さの塗工液をグラビアロール１２の表面に付着させる。
【００１２】
チャンバー１４の底部２４には、液溜め部１８に塗工液を供給する供給孔２６が所定間隔を開けて３個設けられている。塗工液は、これら供給孔２６に繋がれた不図示の供給管を通じてポンプから圧送される。
【００１３】
チャンバー１４の底部２４には、２個の覗き窓２８，２８が設けられている。これら覗き窓２８，２８は、底部２４の両側に１個ずつ形成されている。具体的には、底部２４を矩形状に貫通する開口部３０を設け、この開口部３０に強化ガラス３２をはめ込んでいる。
【００１４】
（２）グラビア型塗工装置１０の動作
次に、グラビア型塗工装置１０の動作について図２に基づいて説明する。
【００１５】
まず、チャンバー１４にポンプによって塗工液を圧送する。チャンバー１４内部の塗工液は、回転するグラビアロール１２に付着し、上ブレード２０によって所定厚さまで掻き落とされる。
【００１６】
この回転するグラビアロール１２に付着した所定厚さの塗工液は、バックアップロール１６の回転によって走行するウエブWの下面に塗工される。
【００１７】
このときに、チャンバー１４内部の状態を確認するために、覗き窓２８からチャンバー１４内部を覗き、その状態に基づいて塗工液の圧送量や圧力を調整する。
【００１８】
（３）効果
本実施形態のグラビア型塗工装置１０によれば、覗き窓２８からチャンバー１４内部を覗くことができるため、その内部の状態を簡単に把握できる。
【００１９】
また、覗き窓２８からの光によって中が明るく照らされるため、液溜め部１８内部に特別に照明装置を設ける必要がなく、塗工液の流れを妨げたりすることがない。
【００２０】
また、覗き窓２８，２８が両側部にそれぞれ設けられているため、液溜め部１８内部を広範囲に観察できる。
【００２１】
（４）変更例
本発明は上記各実施形態に限らず、その主旨を逸脱しない限り種々に変更することができる。
【００２２】
覗き窓２８を形成することができるグラビア型塗工装置１０は、上記実施形態以外のグラビア型塗工装置であってもよい。
【００２３】
また、覗き窓２８は、２カ所でなく３カ所以上、または、１カ所であってもよい。
【図面の簡単な説明】
【００２４】
【図１】本発明の一実施形態を示すグラビア塗工装置の側面図である。
【図２】チャンバーの背面図である。
【符号の説明】
【００２５】
１０    グラビア型塗工装置
１２    グラビアロール
１４    チャンバー
１６    バックアップロール
１８    液溜め部
２０    上ブレード
２２    下ブレード
２４    底部
２６    供給孔
２８    覗き窓
３０    開口部
３２    強化ガラス
【図１】
2009148663.tif 000003
【図２】
2009148663.tif 000004
(57)【要約】      （修正有）【課題】風呂の湯を小型水中モーターで汲み上げ、自然流下する風呂の湯で打たせ湯を作り、肩の凝りを取る装置を提供する。【解決手段】風呂桶５の横底に小型水中ポンプ１を設置し、それによって風呂の湯６を汲み上げ、自然に流下する風呂の湯４で打たせ湯とした。自宅の風呂の湯を循環させて使用するものであり、水道代も通常の風呂代だけで済むようにした。【選択図】図３
2009148516.tif 000002
【特許請求の範囲】
【請求項１】
浴槽に水中ポンプを敷設する
【請求項２】
水中ポンプから壁にパイプを敷設する
【請求項３】
風呂の湯を汲み上げる
【発明の詳細な説明】
【発明の詳細な説明】
【０００１】肩の凝りをとる
【技術分野】本発明は、風呂の湯を小型水中モーターで汲み上げ、自然流下する風呂の湯で打たせ湯を作り、肩の凝りを取るものである
【背景技術】
【０００２】なし
【発明が解決しようとする課題】
【０００３】本発明は、自宅の風呂の湯を循環させて使用するものであり、水道代も通常の風呂代だけで済む
【問題を解決するための手段】
【０００４】本発明は、風呂桶の横底に小型水中ポンプを設置し、それによって風呂の湯を汲み上げ、自然に流下する風呂の湯で打たせ湯とする
【図面の簡単な説明】
【図１】  正面図
【図２】  斜面図
【図３】  側面図
【符号の説明】
１      水中モーター
２      吸盤
３      パイプ
４      風呂の湯
５      浴槽
６      風呂の湯
【図１】
2009148516.tif 000003
【図２】
2009148516.tif 000004
【図３】
2009148516.tif 000005
(57)【要約】      （修正有）【課題】家庭内での初期消火において恐怖感をより少なくし、効果的消火が出来るように、紙及び重曹を使用し散布するマットを提供する。【解決手段】紙に挟まれた重曹が、紙が燃えることにより散布され消火する方法である。持ち手（棒）２及び３を使用することでマット部分１を火元に被せることが出来る。火に近寄る恐怖感も軽減される。【選択図】図１
2009148512.tif 000002
【特許請求の範囲】
【請求項１】
消火能力の高い重曹をまんべんなく炎の上に散布出来るように、二枚の燃えやすい紙で挟み込んだ消火道具としてのソーダマット。
【発明の詳細な説明】
【技術分野】
【０００１】  本発明は家庭内の失火（例、天ぷら油鍋に着火）の初期消火の方法であり、工業用重炭酸ソーダ（以下重曹とする）の消火能力を利用し、その粉末状重曹の平均的散布方法につき燃えやすい紙を使用したマット作成に関するものである。
【背景技術】
【０００２】  従来の初期消火では、失火の炎に不燃布を被せ空気遮断をする方法であった。又は消火器による薬剤噴射によるものであった。
【発明の開示】
【発明が解決しようとする課題】
【０００３】  従来の不燃布を被せる方法は空気を遮断することが目的であり、いわば消極的消火である。逆に積極的な薬剤噴射による方法は訓練が必要である。これらの消火法の考えを逆転させ、不燃ではなく可燃であるべき素材を使用した。自然素材を使用する上、再生紙も使えるというコスト面での問題も解決でき、まさに温暖化対策の考えのうちに入るものである。製品および考え方の拡大、改良も出来、発展の余地は大きい。
【課題を解決するための手段】
【０００４】  使用材料は重曹及び可燃の紙のみである。二枚の紙の間に重曹を挟みこむ形をとるが片寄りを防ぐため５〜７ｃｍ方眼に糊付けをして、その空間に重曹（粉末）が入っている状態を作る、このマット状に作られた紙の両端に持ち手として棒をつける。糊付けも医薬品を分包し帯状につなげる方法を利用すれば作り方の簡便化は図ることが出来る。
【発明の効果】
【実施例１】
【０００５】  失火の際慌てている状態であるのに炎に向かい、近寄り布状のものを被せるのは、理解していても実行は難しい。出願者も訓練を経験しているが常備していない。持ち手があることと、常備の際、扇状にたたんでおけば瞬時に拡げられて、紙が燃えれば即消火開始ということで余裕が持てる。
【発明を実施するための最良の形態】
【０００６】  図面の持ち手２を左手、３を右手に持ち、両手を広げれば本体を炎の上に被せられる。
【図面の簡単な説明】
【０００７】
【図１】使用時広げる本体
【図２】常備の際は扇状にたたみ、まとめておく。
【符号の説明】
【０００８】  １  本体重曹入り紙マット  ２  持ち手  ３  持ち手
【図１】
2009148512.tif 000003
【図２】
2009148512.tif 000004
(57)【要約】【課題】重い鞄を持ったり、長時間にわたって鞄を持ったときに、重さの負担感や持ち手に掛かっている手の指の痛みを緩和するために、鞄の上部、または側面に手の甲に掛ける持ち手を設けた鞄を提供する。【解決手段】鞄（１）の上部の持ち手の横、または鞄の側面に長さ調節具（２）付きの手の甲に掛ける持ち手（３）を設けた、請求項１の甲掛け持ち手付き鞄。【選択図】図１
2009148515.tif 000002
【特許請求の範囲】
【請求項１】
鞄（１）に通常の持ち手の他に、長さ調節具（２）付きの手の甲に掛ける用の持ち手（３）を設けた、甲掛け持ち手付き鞄。
【請求項２】
鞄（１）の持ち手の横に長さ調節具（２）付きの手の甲に掛ける用の持ち手（３）を設けた、請求項１の甲掛け持ち手付き鞄。
【請求項３】
鞄（１）の側面に長さ調節具（２）付きの手の甲に掛ける用の持ち手（３）を設けた、請求項１の甲掛け持ち手付き鞄。
【請求項４】
手の甲に掛ける用の持ち手（３）に長さを調節できるバックル様な長さ調節具（２）を設けた、請求項１の甲掛け持ち手付き鞄。
【発明の詳細な説明】
【技術分野】
【０００１】この発明は、鞄の持ち手に加えて手の甲に掛ける持ち手を設けた鞄に関するものである。
【背景技術】
【０００２】従来、鞄を手で持つ場合は、持ち手を手で持つだけであった。
【発明の開示】
【発明が解決しようとする課題】
【０００３】これは次のような欠点があった。
持ち手を手で持つだけだと、鞄の重量が重い場合や長時間持つ場合には、重さを負担に感じたり、持ち手が掛かっている指の部分が痛くなってくる欠点があった。
本発明は、以上のような欠点をなくすためになされたものである。
【課題を解決するための手段】
【０００４】鞄（１）の上部、または側面に通常の持ち手に加えて手の甲に掛ける持ち手（３）を設ける。本発明は、以上の構成よりなる甲掛け持ち手つき鞄である。
【発明の効果】
【０００５】通常の持ち手の他に、手の甲に掛かけた持ち手にも鞄の重量が分散されるため、鞄の重量が実際より軽く感じられたり、通常の持ち手に掛かっている指の痛みを軽減する効果がある。
【発明を実施するための最良の形態】
【０００６】以下、本発明を実施するための最良の形態について説明する。
鞄（１）上部持ち手の横、または鞄の側面に手の甲に掛ける持ち手（３）を設ける。
手の甲に掛ける持ち手（３）には、甲にしっかり掛かるようバックル様の長さ調節具（２）を設ける。
本発明は以上のような構造で、これを使用するときは、甲掛け用の持ち手は手の甲にしっかり掛けて、通常の持ち手は従来どおり手で持つようにする。
【図面の簡単な説明】
【０００７】
【図１】    本発明の正面図である。
【図２】    本発明の使用図である。
【符号の説明】
【０００８】    １  鞄
２  長さ調節具
３  手の甲に掛ける持ち手
【図１】
2009148515.tif 000003
【図２】
2009148515.tif 000004
(57)【要約】【課題】ベッドに掛ける整理袋を提供する。【解決手段】長方形状で二つ折りにした１枚の布材の両面にポケットを設け、ベッドの手すりに掛けた時、固定するための取り付け具を設けたことを特徴とする小物整理袋。【選択図】図１
2009148513.tif 000002
【特許請求の範囲】
【請求項１】
長方形状で二つ折りにした１枚の布材の両面にポケットを設け、ベッドの手すりに掛けた時、固定するための取り付け具を設けたことを特徴とする小物整理袋。
【発明の詳細な説明】
【技術分野】
【０００１】  本発明は、病気や怪我などにより病院へ入院した時のベッドに固定し、入院生活が長引く事により、必要となる様々な小物を小物整理袋に収納し、身の回りが整理整頓される事を目的とする。
【背景技術】
【０００２】  従来、入院等した場合、病室に一台のテーブルが設置されてはいるが、入院生活が長くかかると様々な小物が必要であり、そのテーブルの引き出しや開き戸をつかうには身を起こさなければならず不便であり、テーブルの上がつい乱雑になりがちである。
１件、ベッドサイドなる物が発明されている。
【特許文献１】実用新案登録第３０８５１５９号公報
【発明の開示】
【発明が解決しようとする課題】
【０００３】    そのために、次のような問題点があった。
従来発明されたベッドサイドポケットは、ポケットが細かく、一番場所をとる雑誌や新聞などが収納出来ずにいた。
本発明は、上記の問題点を解決しようとするものである。
【課題を解決するための手段】
【０００４】  長方形状で二つ折りにした１枚の布材の両面にポケットを設け、ベッドの手すりに掛けた時、固定するための取り付け具を設けたことを特徴とする小物整理袋。
【発明の効果】
【０００５】  吊り下げたポケットに、場所をとる雑誌や新聞等を縦に収納することにより身の回りが整理整頓され、又、整理袋の色、柄、材質など好みの物を選ぶ事により、殺風景な病室が華やかになり、明るくなる。
【発明を実施するための最良の形態】
【０００６】  以下、本発明の実施の形態を説明する。
（イ）長方形の布材の両面に、それぞれ大きさの違うポケットを設ける。
（ロ）片面には、布材の幅いっぱいに１個のポケット２を設ける。もう一方の面には２個のポケット３を設け、さらに、その１個の上に名刺大のポケット４を設置した。
（ハ）雑誌等を収納した場合その重量に対応するため、ずり落ちないよう手すりの太さに合わせた位置にほどけにくい丈夫な紐５を取り付け、結わいて使用する。
又、紐の代わりに、ジャンパーやバック等に使用されている『ロットボタン』を取り付け、手すりに固定してもよい。
本発明を使用する場合、患者本人の病状によっては、取り付ける位置を自由に移動させ設置することができ、手の届く位置であれば身を起こすことなく出し入れする事が容易になる。
【図面の簡単な説明】
【０００７】
【図１】本発明の平面図
【図２】本発明の使用状態を示した斜視図
【符号の説明】
【０００８】    １  小物整理袋
２  幅いっぱいに設けた１個のポケット
３  もう片面に設けた２個のポケット
４  上記３に設けた２個のうちの、１個の上に設置した名刺大のポッケト。
５  小物整理袋を固定する紐。
【図１】
2009148513.tif 000003
【図２】
2009148513.tif 000004
(57)【要約】【課題】  現在、高令者や一般の方々の肩コリや、筋肉のコリ、痛み等には、専門の指圧師や、電気震動、機械的なもみほぐしで用を達しているが、これから先きの課題として高令者の増加等で、上記の様な痛みやもみほぐしでは、間に合わなくなる可能性が充分に考えられる。本発明は各使用者自身の眠ころがり、回転等に依って筋力コリ、痛み等を自然にほぐす事を目的に発明されたものである。【解決手段】タオルケットの上にボール球を縦いつける事で、その上に眠ころがる事で、本発明である筋肉の痛みコリ等を解決する事ができる。【選択図】図１
2009148510.tif 000002
【特許請求の範囲】
【請求項１】
弾力性のあるタオルケットやカーテン類のような生地の上にすべすべするビニールを敷き、その上に直径約２センチから４センチほどのボール球（磁石性のボール、プラスチック、ゴム製、木製のボール球）等の直径の約２倍から３倍の広さの四角や丸の中心部に縦、横あるいは、斜めに並べて（数１０個から３００個）、その上に同様のビニールを被せ、更にその上に同様の生地を被せて、ボール球が中で、自由に動き、移動できる隙間を設けて、各々使用者の体重によって指圧的効果をもたらす「ボール球入り敷きマット」。
（直接タオルケットやカーテン類のような生地の上に、上記のボール球を縫い付けたボール入り敷きマットを含む）
【請求項２】
請求項１の「ボール球入り敷きマット」は、タオルケットやカーテン類のような生地の上にすべすべするビニールを敷き、その上にボール球を相当数、縦、横あるいは、斜めに並べて、その上に同様の物を被せて縫いつけた物であるが、請求項２の場合は、直接生地の上にボールを並べて縫いつけた「ボール球入り敷きマット」である。
【発明の詳細な説明】
【技術の分野】
【０００１】本発明の技術の文やは、人間の背中の各部を始めとする各部のツボの凝り、伊丹、筋肉の張り等には指圧師による指圧、または針等を緩和させている。本発明は名称の通り、敷きマットにボール球を相当数入れて使用する、人の体重によって、背中を始めとする各部に点在するツボに指圧的効果をもたらす自然指圧器の一種である。
【背景技術】
【０００２】従来、人体各部のツボ、筋力の凝り、痛み、張り等には、前述の通り、専門師に依って指圧、針等で押えていたが、それは、専門師の能力と依頼する人の体の大中小と体力の強弱と、凝り、痛み、張りと、その場所が出来ない等の欠点があるが、本発明には、それらが余りなく、すなわち使用者自身の体重の移動、回転等で、自由自在に各部に指圧的効果を上げる事ができる。
【発明の開示】
【発明が解決しようとする課題】
【０００３】人体の各部のツボの指圧には、専門の指圧と電気機器等のもみほぐし、圧し等で行なっているが、指圧師、電気機器を使用せずに敷きブトンの上で横に寝ながら回転しながら自然に指圧的効果をもたらす方法はないものかと発明されたが、この「ボール球入り敷きマット」である。【０００４】寝ころがって体の移動、回転にそってスムーズにボール球の回転、移動を良くするためには、直接タオルケット等の生地の上にボール球を並べて縫い込むよりは、すべすべ性のあるビニールを敷いて、その上にボール球を並べて、縫った方が良いが、最近は弾力性と、すべすべ性を備わった生地もあるので、これらの生地の上に直接ボール球を並べて縫う手段もある。
【発明の効果】
【０００５】本発明の「ボール球入り敷きマット」は、生地の上に直径約２センチから４センチ前後のボール球を２０個や３０個を縦、横あるいは、斜めに並べて、その上に生地を被せて縫いつけたものではなく、最も小さいサイズの物でも約５０センチ、長さ１メートル１０センチの生地に７０個から８０個のボール球を並べて作ってあり、その上の物は、幅約１メートル、長さ１メートル７０センチ、ボール球は１３０個から１４０個，大きい物は、幅約１メートル５０センチ、長さ約２メートル３０センチ、ボール球２３０個から２５０個を入れて作った物である、そのくらいのサイズでないと図１、図２の身体に点在するツボに写真１、写真２の凹凸のボール球は各部のツボの凝りや痛み、張り等に指圧的効果をもたらさない。
【発明の実施するための最良の形態】
【０００６】本発明を実施するための最良の形態と言えば、土台となる生地の上に敷くすべすべのビニールと、その上に並べるボール球の大きさと、ボール球とボール球との間隔、さらにボール球の並べ方、例えば、人体に対し、縦長に、あるいは横長に、あるいは斜めに、半円型、円形に並べるのが大切だが、最も大事なことは、並べるボール球とボール球との間隔である。狭すぎるとボール球の動き、移動が良くない。広すぎるとボール球の動き、移動が大きくなる。ボール球の動き方、移動の差は、人体の各部に広がっているツボ、筋肉の凝り、痛み、張り等に影響を及ぼすからである。
【実施例】
【０００７】実施例を写真１、写真２をもって説明すると長さ約１メートル２５センチ、幅約５０センチのタオルケットの上に、すべすべするビニールを敷いて、その上に直径３センチのボール球を縦に１３個、横に６個（計７８個）並べて、その上にすべすべするビニールを被せ、その上に同じタオルケットを被せて、ボール球１個、１個は約７センチから８センチの四角の中で、縦、横に縫いつけたものである。が、写真２にはすべすべするビニールは入っておらず、直接ボール球がタオルケットに触れて縫いつけたもので、すべすべのビニールが入ったものとは、ボール球の動き、移動がスムーズでない。従って、人体が寝返りをしたり、様々な角度に動き、移動する度にボール球が人体のツボの凝り、痛み、張り等に与える効果に相当な差がある事が想像できる。
【産業上の利用可能性】
【０００８】現在、様々な健康維持に衣食住の改善進展が年々なされている。中でも長寿社会にそって食の多様化改善は目覚ましい。しかし、健康維持は食だけで維持はできない。そのために様々な角度から体調の良好維持には、身体各部のツボ、筋肉の凝り、痛み、張り等には、指圧師の手も借りているが、指圧師の手だけでは間に合わないほど高齢化とは別に、現代人の首の凝り、肩凝りを始め、各ツボ、筋肉の凝り、痛み、張りは進んでいる。そのため、電動化、機械化で補足している。でも電動化、機械化よりも、自然化の方が良いという考えから、この「ボール球入り敷きマット」を発明したのである。この「ボール球入り敷きマット」に寝ころがる事で、使用者自身の体の重さで、各ツボ、筋肉の凝り、痛み、張り等をほぐす事が可能である、全く、人的、電動化、機械化等に頼る事なく、まさに大自然に大の字で体調維持に貢献する名器と言える。従って、市場は各家庭となるので、一大産業となる可能性は大である。
【図面の簡単な説明】
【０００９】
【図１】１は土台であるタオルケット  ２はすべすべするビニール  ３はボール球  ４は縦の縫い糸  ５は横の縫い糸
【図２】は人体に点在するツボ入り後面図である。
【図３】は人体に点在するツボ入り前面図である。
【符号の説明】
【００１０】１、タオルケット
２、タオルケットの上に張るすべすべするビニール
３、ボール球
４、縦の縫い糸
５、横の縫い糸
【図１】
2009148510.tif 000003
【図２】
2009148510.tif 000004
【図３】
2009148510.tif 000005
(57)【要約】【課題】金具を使用するので重量の増加【解決手段】金具の使用を最小限にし、ひれを軽量な材料で製作【選択図】図１
2009148526.tif 000002
【特許請求の範囲】
【請求項１】
ひれ部分とくつ部分の結合部が可動する足ひれ
【発明の詳細な説明】
【技術分野】
【０００１】腓返りの起きやすい既存の足ひれの欠点を解消する
【背景技術】
【０００２】従来、このような発明は無かった
【発明の開示】
【発明が解決しようとする課題】
【０００３】既存の足ひれは、つま先を伸ばした状態で使用するため気温より温度が低い水中では、腓返りが起きやすく危険だった
【課題を解決するための手段】
【０００４】つま先を伸ばさない動作で、推進力を得られるようにくつ部分とひれ部分の結合に、角度調整が可能な金具等を利用する
【発明の効果】
【０００５】通常の歩行の動作で推進力が得られるので、腓返りが起きにくく、角度の調整で陸上の歩行も楽になり、従来のつま先を伸ばした形での使用も可能になる
【発明を実施するための最良の形態】
【０００６】くつ部分とひれ部分を丁番状の金具で結合させ、角度を調整するストッパーを付ける
【産業上の利用可能性】
【０００７】
【図面の簡単な説明】
【０００８】
【図１】側面図
【図２】底からの平面図
【図３】使用状態
【図４】従来形での使用状態
【図５】歩行時の使用状態
【符号の説明】
【０００９】１  くつ部分
２  ひれ部分
３  金具部分
４  可動範囲
【図１】
2009148526.tif 000003
【図２】
2009148526.tif 000004
【図３】
2009148526.tif 000005
【図４】
2009148526.tif 000006
【図５】
2009148526.tif 000007
(57)【要約】【課題】フック脚部に、引っ掛けフックの留め具用突起を備えたバネを設け、スライド式ハンガーを備えた物干用ハンガーを提供する。【解決手段】挟み込みフックの脚部にバネを設け、バネの複数箇所に引っ掛けフックの留め具用突起を設け、ハンガー部にスライド式のバーを設けたことを特徴とする物干用ハンガー。【選択図】図１
2009148525.tif 000002
【特許請求の範囲】
【請求項１】
挟み込みフックの脚部にバネを設け、バネの複数箇所に引っ掛けフックの留め具用突起を設け、ハンガー部にスライド式のバーを設けたことを特徴とする物干用ハンガー。
【発明の詳細な説明】
【技術分野】
【０００１】  本発明は、挟み込みフックとフック脚部に設けたバネの複数個所に引っ掛けフックの留め具用突起を設け、ハンガー部にスライド式のバーを備えた物干用ハンガーに関するものである。
【背景技術】
【０００２】  従来、洗濯で干した衣服のハンガーを外すときは襟ぐりの部分から上に抜き出すか、裾の部分から下に抜き出すかの方法になる。なお、開閉自在クリップ付き洋服ハンガーという、バネの力を用い、襟ぐりを伸ばすことなく襟ぐりからハンガーを通せるハンガーの発明が知られている（特許文献１）。
【特許文献１】登録実用新案第３０８１１４１号公報
【発明の開示】
【発明が解決しようとする課題】
【０００３】  そのために、次のような問題があった。
（イ）洗濯で干した衣服のハンガーを襟ぐりの部分から上に抜き出す場合、首まわりの布が伸びてしまったり、裾の部分から下に抜き出す場合、衣服の中に裾から手を入れて抜き出すため手間がかかった。
（ロ）開閉自在クリップ付き洋服ハンガーの場合は、バネの伸縮をさせる持ち手が広いため片手での作業は難しい。
（ハ）挟み込みフックと引っ掛けフックを両方備えてないため、竿棒の太さや物干スタンドなど使用する場所を選ばなければならなかった。
（ニ）引っ掛けフックを下向きに使用できるものが無かったため、物干以外の用途で何かを引っ掛け吊るしたいときに、重心を真ん中に引っ掛け吊るせなかった。
本発明は以上の問題点を解決しようとするものである。
【課題を解決するための手段】
【０００４】  挟み込みフックの脚部にバネを設け、バネの複数箇所に引っ掛けフックの留め具用突起を設け、ハンガー部にスライド式のバーを設けた。以上のことを特徴とする物干用ハンガーである。
【発明の効果】
【０００５】  本発明は、衣服を襟ぐり部分から襟ぐりを伸ばさず、片手で簡単に外しやすくしてある。したがって、衣服の裾の部分から下に衣服を外すようなわずらわしさがない。
また、フック部を挟み込み式と引っ掛け式の２タイプを設け、竿棒の太さやスタンド式物干など掛ける場所を選ばない。また、引っ掛けフックの留め具用突起を軸に引っ掛けフックは回転し、上向きと下向きに用途に合わせて位置づけできる。また、引っ掛けフックは引っ掛けフックの留め具用突起から取り外しができる。また、引っ掛けフックを下向きに使用すると、物干以外の用途で何かを引っ掛け吊るしたいときに、重心を真ん中に引っ掛け吊るすことができる。
【発明を実施するための最良の形態】
【０００６】以下、本発明の実施の形態を説明する。
（イ）竿棒を挟み込みフック（１）部から連結させ、左右に開いたフック脚部（２）を設ける。
（ロ）フック脚部（２）は握り手として使用する長さにし、フック脚部（２）の先端から衣服を掛けるハンガー（５）部を設ける。
（ハ）挟み込みフック（１）部からフック脚部（２）を通すようにバネ（３）を通し、逆側の挟み込みフック（１）部で止まる。
（ニ）バネ（３）の引っ掛けフックの留め具用突起（８）部には、引っ掛けフック（６）を左右から取り付ける。
（ホ）ハンガー（５）部にスライド式のバー（７）を取り付ける。
本発明は、以上の構成によりなっている。
本発明を使用するときは、ハンガー（５）に衣服が掛かった状態でフック脚部（２）を片手で挟み込み、ハンガー（５）を傾けることにより衣服がずり落ちる。このときもう片方の手で衣服を掴んでおく。この仕組みにより、簡単に衣服をハンガー（５）から外すことができる。また、竿棒に挟み込みフック（１）を使用しない場合は、引っ掛けフック（６）を使用することもできる。引っ掛けフック（６）は、挟み込みフック（１）の上に位置するようにバネ（３）の引っ掛けフックの留め具用突起（８）を軸に回転させ、上向きにして竿棒などに引っ掛けて使用する。また、引っ掛けフックを下向きに回転させると物干以外の用途で何かを引っ掛け吊るして使用することもできる。また、ハンガー（５）部にスライド式のバー（７）を設置することにより、衣服の肩幅に合わせられ型崩れも防止できる。
【図面の簡単な説明】
【０００７】
【図１】本発明の斜視図
【図２】本発明の斜視図
【図３】本発明の分解図
【符号の説明】
【０００８】  １  挟み込みフック
２  フック脚部
３  バネ
４  支点
５  ハンガー
６  引っ掛けフック
７  スライド式のバー
８  引っ掛けフックの留め具用突起
【図１】
2009148525.tif 000003
【図２】
2009148525.tif 000004
【図３】
2009148525.tif 000005